【事件の表示】
　特許第３１２１９６２号「追跡機能付画像形成装置」の請求項１、２に係る特許に対する特許異議の申立てについて、次のとおり決定する。
【結　論】
　訂正を認める。
　特許第３１２１９６２号の請求項１に係る特許を維持する。
【理　由】
１．手続の経緯
　特許第３１２１９６２号の請求項１及び２についての出願は、平成５年５月１８日に特許出願され、平成１２年１０月２０日にその発明について特許の設定登録がなされ、その後、その特許について、異議申立人金原利行より特許異議の申立てがなされ、平成１３年９月１２日付けで取消理由通知がなされ、その指定期間内である平成１３年１１月２０日に訂正請求がされ（平成１４年４月２６日付けで取り下げされた）、平成１３年１２月１７日付けで訂正拒絶理由通知がなされ、平成１４年４月１８日付けで取消理由通知がなされ、その指定期間内である平成１４年４月２６日に訂正請求がされたものである。
　
　
２．訂正の適否についての判断
（１）訂正の内容
　特許権者が、訂正請求において求めている訂正の内容は、次のとおりである。
  
ａ．特許請求の範囲の請求項１に係る記載
「【請求項１】
　原稿から読み取った画像データに対し所定の画像処理を実行して画像を出力する追跡機能付画像形成装置において、内部に基準位置となる基準パターンを含む符号パターンを格納するパターンデータ格納手段と、前記パターンデータ格納手段から符号パターンを繰り返し読み出して前記画像データと合成する合成手段とを具備することを特徴とする追跡機能付画像形成装置。」を、
「【請求項１】
　原稿から読み取った画像データに対し所定の画像処理を実行して画像を出力する追跡機能付画像形成装置において、
　画像形成した装置を特定する符号をパターンとしたパターンデータと、その内部の所定位置に配置され、基準位置となる基準データとからなる符号パターンを格納するパターンデータ格納手段と、
　前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成する合成手段と、
　を具備することを特徴とする追跡機能付画像形成装置。」と訂正する。
　
ｂ．特許請求の範囲の請求項２を削除する。
　
ｃ．明細書の段落【０００５】における記載
「【０００５】
【課題を解決するための手段】
　本発明は、上記の目的を達成するために、原稿から読み取った画像データに対し所定の画像処理を実行して画像を出力する追跡機能付画像形成装置において、内部に基準位置となる基準パターンを含む符号パターンを格納するパターンデータ格納手段と、前記パターンデータ格納手段から符号パターンを繰り返し読み出して前記画像データと合成する合成手段とを具備する追跡機能付画像形成装置を提供するものである。」を、
「【０Ｏ０５】
【課題を解決するための手段】
　本発明は、上記の目的を達成するために、原稿から読み取った画像データに対し所定の画像処理を実行して画像を出力する追跡機能付画像形成装置において、画像形成した装置を特定する符号をパターンとしたパターンデータと、その内部の所定位置に配置され、基準位置となる基準データとからなる符号パターンを格納するパターンデータ格納手段と、前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成する合成手段とを具備する追跡機能付画像形成装置を提供するものである。」と訂正する。
　
ｄ．明細書の段落【０００７】における記載
「【０００７】
【作用】
　本発明による追跡機能付画像形成装置は、画像信号に付加する符号パターンを、パターン内部に該パターンの基準位置となる基準パターンを設けた符号パターンとして、その基準パターン部分が示す基準位置を明らかにすることにより符号パターンの解読を容易にする。」を、
「【０００７】
【作用】
　本発明による追跡機能付画像形成装置は、画像形成した装置を特定する符号をパターンとしたパターンデータと、その内部の所定位置に配置され、基準位置となる基準データとからなる符号パターンを、前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成することにより、符号パターンの解読を容易にする。」と訂正する。
　
ｅ．明細書の段落【００１４】における記載
「【００１４】
　図３は、上記追跡パターン部２０９の概略構成を示すブロック図である。図において、３０１は主走査方向の同期信号に同期して画素クロック０〜２５５を繰り返しカウントし、Ａ０〜Ａ７の信号を出力する主走査カウンタである。なお、この場合におけるＬＳＢはＡ０である。また、８０２は副走査方向の同期信号に同期してライン同期信号０〜２５５を繰り返しカウントし、Ａ０〜Ａ７の信号を出力する副走査方向カウンタである。なお、この場合におけるＬＳＢはＡ０である。」を、
「【００１４】
　図３は、上記追跡パターン部２０９の概略構成を示すブロック図である。図において、３０１は主走査方向の同期信号に同期して画素クロック０〜２５５を繰り返しカウントし、Ａ０〜Ａ７ の信号を出力する主走査カウンタである。なお、この場合におけるＬＳＢはＡ０である。また、３０２は副走査方向の同期信号に同期してライン同期信号０〜２５５を繰り返しカウントし、Ａ０〜Ａ７の信号を出力する副走査方向カウンタである。なお、この場合におけるＬＳＢはＡ０、ＭＳＢはＡ７である。」と訂正する。
　
ｆ．明細書の段落【００１８】における記載
「【００１８】
　次に、追跡パターン部２０９の動作について説明する。まず、複写処理開始前に、ＣＰＵ（図示せず）からパターンデータをメモリ３０５に書き込む。その後、複写処理が開始されると、主走査方向カウンタ３０１および副走査方向カウンタ３０２の各カウント値により、メモリ３０５に格納したパターンデータの読み出しを実行する。さらに、ＥＸ−ＯＲゲート３０７に入力している主走査方向カウンタ３０１および副走査方向カウンタ３０２のＬＳＢが一致しているとき、その入力レベルがＨＩＧＨとなり（図４に示した黒部分がＨＩＧＨ）、パターン合成が許可されて、メモリ３０５のパターンデータを符号パターンとして合成部３０６において画像データに対して合成処理を実行する。」を、
「【００１８】
　次に、追跡パターン部２０９の動作について説明する。まず、複写処理開始前に、ＣＰＵ（図示せず）からパターンデータをメモリ３０５に書き込む。その後、複写処理が開始されると、主走査方向カウンタ３０１および副走査方向カウンタ３０２の各カウント値により、メモリ３０５に格納したパターンデータの読み出しを実行する。さらに、ＥＸ−ＯＲゲート３０７に入力している主走査方向カウンタ３０１および副走査方向カウンタ３０２のＭＳＢ（Ａ７）が不一致のとき、その出力レベルがＨＩＧＨとなり（図４に示した黒部分がＨＩＧＨ）、パターン合成が許可されて、メモリ３０５のパターンデータを符号パターンとして合成部３０６において画像データに対して合成処理を実行する。」と訂正する。
　
ｇ．明細書の段落【００１９】における記載
「【００１９】
　図５は、上記メモリ３０５のパターン領域の状態を示す説明図であり、図示の如く、１２８ドット×１２８ドットの大きさとなる。また、パターンデータは、人間が識別しやすい英数字等を用いたデータとすると、本来の画像データに対して好ましくない影響があるため、符号をパターンとして用いる。そして、この符号パターン内に基準パターンを図５に示すように入力しておくことにより、符号パターンの解読が容易となる。この場合の基準パターンは符号化に用いる符号とは異なるように形成する。」を、
「【００１９】
　図５は、上記メモリ３０５の符号パターン領域の状態を示す説明図であり、図示の如く、１２８ドット×１２８ドットの大きさとなる。また、パターンデータは、人間が識別しやすい英数字等を用いたデータとすると、本来の画像データに対して好ましくない影響があるため、符号をパターンとして用いる。そして、この符号パターンの所定位置に配置された基準データを、図５に示すように入力しておくことにより、符号パターンの解読が容易となる。この場合の基準パターンは符号化に用いる符号とは異なるように形成する。」と訂正する。
　
ｈ．明細書の段落【００２０】における記載
「【００２０】
　また、符号パターンの印写は、例えば、図６に示すように、主走査方向を４分割、副走査方向を６分割とした２４分割の領域を形成し、この領域に符号を書くか否かにより、２２４−１で約１．６×１０７通りの符号パターン形成を可能にしている。さらに、この符号の種類を増やすことにより、識別可能数を増加させることができる。
　さらに、上記において、基準パターンと符号に方向性を持つパターンにおいて、その線幅を判別できる最小の線幅に設定することもできる。」を、
「【００２０】
　また、符号パターンの印写は、例えば、図６に示すように、主走査方向を４分割、副走査方向を６分割とした２４分割の領域を形成し、この領域に符号を書くか否かにより、２２４−１で約１．６×１０７通りの符号パターン形成を可能にしている。さらに、この符号の種類を増やすことにより、識別可能数を増加させることができる。
　さらに、上記において、基準データと符号に方向性を持つパターンにおいて、その紙幅を判別できる最小の線幅に設定することもできる。」と訂正する。
　
ｉ．明細書の段落【００２２】における記載
「【００２２】
　すなわち、符号パターンに方向性を持たせることにより、符号パターン（追跡パターン）を判別することができる。また、符号パターンの方向性が同一方向であっても、可能な限り細い線幅で印写されるため、複写処理毎の相互の印写位置がずれることを利用して、基準パターンを基準とした判別が可能となる。」を、
「【００２２】
　すなわち、符号パターンに方向性を持たせることにより、符号パターン（追跡パターン）を判別することができる。また、符号パターンの方向性が同一方向であっても、可能な限り細い線幅で印写されるため、複写処理毎の相互の印写位置がずれることを利用して、基準データを基準とした判別が可能となる。」と訂正する。
　
ｊ．明細書の段落【００２３】における記載
「【００２８】
【発明の効果】
　以上説明したように、本発明による追跡機能付画像形成装置によれば、原稿から読み取った画像データに対し所定の画像処理を実行して画像を出力する追跡機能付画像形成装置において、内部に基準位置となる基準パターンを含む符号パターンを格納するパターンデータ格納手段と、前記パターンデータ格納手段から符号パターンを繰り返し読み出して前記画像データと合成する合成手段とを具備して、その基準パタ一ン部分が示す基準位置を明らかにすることにより、その追跡作業の迅速化と確実性を図ることができる。」を、
「【００２３】
【発明の効果】
　以上説明したように、本発明による追跡機能付画像形成装置によれば、原稿から読み取った画像データに対し所定の画像処理を実行して画像を出力する追跡機能付画像形成装置において、画像形成した装置を特定する符号をパターンとしたパターンデータと、その内部の所定位置に配置され、基準位置となる基準データとからなる符号パターンを格納するパターンデータ格納手段と、前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成する合成手段とを具備して、その基準データ部分が示す基準位置を明らかにすることにより、その追跡作業の迅速化と確実性を図ることができる。」と訂正する。
　
ｋ．明細書の【図面の簡単な説明】の欄の【図６】における記載
「【図６】
　本発明による符号化パターンの書込領域例を示す説明図である。」を、
「【図６】
　本発明による符号パターンの書込領域例を示す説明図である。」と訂正する。
　
（２）訂正の目的の適否、新規事項の有無及び拡張・変更の存否
　訂正事項ａ〜ｋの訂正について、その訂正の適否を検討する。
　
　訂正事項ａについては、「画像形成した装置を特定する符号をパターンとしたパターンデータと、その内部の所定位置に配置され、基準位置となる基準データとからなる」なる文言の追加は、本件特許公報の段落【００１９】〜【００２０】及び図５、図６に記載に依拠したものであり、「パターンデータ格納手段」が格納する「符号パターン」を、「画像形成した装置を特定する符号をパターンとしたパターンデータと、その内部の所定位置に配置され、基準位置となる基準データとからなる」という限定を付加するものであるから、この訂正は特許請求の範囲の減縮を目的とした訂正に該当する。
　また、「前記符号パターンを前記画像データと合成することが許可されない領域と、前記符号パターンをその全領域内で前記画像データと合成することが許可される領域とが、主走査方向および副走査方向に交互になるように、前記符号パターンを」なる文言の追加は、本件特許公報の段落【００１４】〜【００１９】及び図３〜図６に記載に依拠したものである。そして、「合成手段」が「画像データ」と合成する対象が「符号パターン」であり、その合成が「前記符号パターンを前記画像データと合成することが許可されない領域と、前記符号パターンをその全領域内で前記画像データと合成することが許可される領域とが、主走査方向および副走査方向に交互になるように」行われるという限定を付加するものであるから、この訂正は特許請求の範囲の減縮を目的とした訂正に該当する。
　
  訂正事項ｂについては、特許請求の範囲の請求項２を削除するものであるから、特許請求の範囲の減縮を目的とした訂正に該当する。
　
　訂正事項ｃ、ｄ、ｇ〜ｋについては、請求項の記載の訂正事項と整合を図るものであるから、明りょうでない記載の釈明を目的とした訂正に該当する。
　
　訂正事項ｅ及びｆについては、図３の記載からみて、該訂正事項の対象となる訂正前の記載事項が明らかな誤記であり、該誤記を図３の記載に沿って訂正するものであるから、誤記の訂正を目的とした訂正に該当する。
　
　しかも、上記訂正事項ａ〜ｋの訂正は、いずれも、新規事項の追加に該当せず、実質的に特許請求の範囲を拡張又は変更するものではない。
　
（３）むすび
　以上のとおりであるから、上記訂正は、特許法第１２０条の４第２項および同条第３項によって準用する同第１２６条第２項および第３項の規定に適合するので、当該訂正を認める。
　
　
３．特許異議の申立について
（１）本件発明
　訂正が認められるので、特許第３１２１９６２号の請求項１に係る発明は、訂正明細書の特許請求の範囲の請求項１に記載された次のとおりのものと認められる。
　
「【請求項１】
　原稿から読み取った画像データに対し所定の画像処理を実行して画像を出力する追跡機能付画像形成装置において、
　画像形成した装置を特定する符号をパターンとしたパターンデータと、その内部の所定位置に配置され、基準位置となる基準データとからなる符号パターンを格納するパターンデータ格納手段と、
　前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成する合成手段と
を具備することを特徴とする追跡機能付画像形成装置。」
　
（２）申立て理由の概要
　申立人金原利行は、証拠として甲第１号証（特願平４−１７０４６号（特開平５−２１９３５３号公報））を提出し、請求項１、２に係る発明は、特許法第２９条の２の規定に違反してなされたものであるから、特許を取り消すべき旨主張している。
　
（３）引用刊行物に記載された発明
　当審による平成１３年９月１２日付け取消理由では、先願１（特願平４−１７０４６号（特開平５−２１９３５３号公報））（甲第１号証）、刊行物２（特開平４−２９４６８２号公報）、刊行物３（特開平４−３５１１６４号公報）、及び、刊行物４（特開平５−１４６８４号公報）を引用して、請求項１、２に係る発明は、先願１に記載された発明と同一であるから、特許法第２９条の２の規定に違反してなされたものであり、請求項１、２に係る発明は、刊行物２〜４に記載された発明から容易に発明することができるものであるから、特許法第２９条第２項の規定に違反してなされたものであることを通知した。
　
（先願１）
　先願１（特願平４−１７０４６号（特開平５−２１９３５３号公報））には、
　スキャナから読み出した画像データに対して、パターン付加回路により複写装置を限定する特定パターンを付加する画像形成装置において、機械特有の製造番号もしくは製造番号を付加したパターンと、付加パターン内に位置の基準を表すマークとを設け、付加パターンを記憶しているＬＵＴから付加パターンを繰り返し読み出して、画像データに付加する画像形成装置が記載されている。（例えば、【００２６】〜【００３６】等を参照）
　
（刊行物２〜４）
　刊行物２〜４（特開平４−２９４６８２号公報、特開平４−３５１１６４号公報、特開平５−１４６８４号公報、）には、
　イメージスキャナ−から読み出した画像データに対して、ＲＯＭに保持された複写装置を限定する特定パターンを付加する画像形成装置において、人間の目には認識し難いパターンを繰り返し読み出して、画像データに付加する画像形成装置が記載されている。（例えば、刊行物２の【００２４】、【００４２】〜【００４６】、刊行物３の【００４６】〜【００５１】、刊行物４の【００３４】〜【００４３】等を参照）
　
（４）対比・判断
（ア）特許法第２９条の２について
　本件請求項１に係る発明と先願１記載の発明とを対比すると、本件発明の「前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成する」構成は、先願１には記載されていない。
　してみると、本件請求項１に係る発明は、先願１に記載された発明と同一な発明ではない。
　
（イ）特許法第２９条第２項について
　本件請求項１に係る発明と刊行物２〜４記載の発明とを対比すると、本件発明の「画像形成した装置を特定する符号をパターンとしたパターンデータと、その内部の所定位置に配置され、基準位置となる基準データとからなる符号パターン」の構成、及び、「前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成する」構成は、刊行物２〜４に記載されていないばかりか示唆するものでもない。
　しかも、このように、画像形成した装置を特定する符号をパターンとしたパターンデータと、その内部の所定位置に配置され、基準位置となる基準データとから符号パターンを構成すること、及び、パターンデータ格納手段から符号パターンを繰り返し読み出して、符号パターンを画像データと合成することが許可されない領域と、符号パターンをその全領域内で画像データと合成することが許可される領域とが、主走査方向および副走査方向に交互になるように、符号パターンと画像データとを合成することにより、本件請求項１に係る発明は、段落【００２３】に記載されたように、「その追跡作業の迅速化と確実性を図ることができる。」といった顕著な作用効果を奏するものと認められる。
　してみると、本件請求項１に係る発明は、刊行物２〜４に記載された発明でないばかりか、刊行物２〜４に記載された発明に基づいて当業者が容易に発明できたものでもない。
　
（５）むすび
　以上のとおりであるから、特許異議申立及び当審で通知した理由及び証拠によっては、本件請求項１に係る発明の特許を取り消すことはできない。
　また、他に本件請求項１に係る発明の特許を取り消すべき理由を発見しない。
　
　よって、結論のとおり決定する。
【異議決定日】
平成１４年４月３０日（２００２．４．３０）
【訂正の要旨】
訂正の要旨
１．特許請求の範囲の請求項１記載を、特許請求の範囲の減縮を目的として、以下のごとく、訂正する。
「【請求項１】
　原稿から読み取った画像データに対し所定の画像処理を実行して画像を出力する追跡機能付画像形成装置において、
　画像形成した装置を特定する符号をパターンとしたパターンデータと、その内部の所定位置に配置され、基準位置となる基準データとからなる符号パターンを格納するパターンデータ格納手段と、
　前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成する合成手段と、
　を具備することを特徴とする追跡機能付画像形成装置。」
２．特許請求の範囲の請求項２を削除する。
３．本件特許公報を、請求項の記載の訂正事項と整合を図るために、明りょうでない記載の釈明を目的として、以下の（ａ）〜（ｇ）のごとく、訂正する。
（ａ）明細書の段落【０００５】における記載を、
「【０００５】
　【課題を解決するための手段】
　本発明は、上記の目的を達成するために、原稿から読み取った画像データに対し所定の画像処理を実行して画像を出力する追跡機能付画像形成装置において、画像形成した装置を特定する符号をパターンとしたパターンデータと、その内部の所定位置に配置され、基準位置となる基準データとからなる符号パターンを格納するパターンデータ格納手段と、前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成する合成手段とを具備する追跡機能付画像形成装置を提供するものである。」と訂正する。
（ｂ）明細書の段落【０００７】における記載を、
「【０００７】
　【作用】
　本発明による追跡機能付画像形成装置は、画像形成した装置を特定する符号をパターンとしたパターンデータと、その内部の所定位置に配置され、基準位置となる基準データとからなる符号パターンを、前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成することにより、符号パターンの解読を容易にする。」と訂正する。
（ｃ）明細書の段落【００１９】における記載を、
「【００１９】
　図５は、上記メモリ３０５の符号パターン領域の状態を示す説明図であり、図示の如く、１２８ドット×１２８ドットの大きさとなる。また、パターンデータは、人間が識別しやすい英数字等を用いたデータとすると、本来の画像データに対して好ましくない影響があるため、符号をパターンとして用いる。そして、この符号パターンの所定位置に配置された基準データを、図５に示すように入力しておくことにより、符号パターンの解読が容易となる。この場合の基準パターンは符号化に用いる符号とは異なるように形成する。」と訂正する。
（ｄ）明細書の段落【００２０】における記載を、
「【００２０】
　また、符号パターンの印写は、例えば、図６に示すように、主走査方向を４分割、副走査方向を６分割とした２４分割の領域を形成し、この領域に符号を書くか否かにより、２２４−１で約１．６×１０７通りの符号パターン形成を可能にしている。さらに、この符号の種類を増やすことにより、識別可能数を増加させることができる。
　さらに、上記において、基準データと符号に方向性を持つパターンにおいて、その紙幅を判別できる最小の線幅に設定することもできる。」と訂正する。
（ｅ）明細書の段落【００２２】における記載を、
「【００２２】
　すなわち、符号パターンに方向性を持たせることにより、符号パターン（追跡パターン）を判別することができる。また、符号パターンの方向性が同一方向であっても、可能な限り細い線幅で印写されるため、複写処理毎の相互の印写位置がずれることを利用して、基準データを基準とした判別が可能となる。」と訂正する。
（ｆ）明細書の段落【００２３】における記載を、
「【００２３】
　【発明の効果】
　以上説明したように、本発明による追跡機能付画像形成装置によれば、原稿から読み取った画像データに対し所定の画像処理を実行して画像を出力する追跡機能付画像形成装置において、画像形成した装置を特定する符号をパターンとしたパターンデータと、その内部の所定位置に配置され、基準位置となる基準データとからなる符号パターンを格納するパターンデータ格納手段と、前記パターンデータ格納手段から前記符号パターンを繰り返し読み出して、前記符号パターンを前記画像データと合成することが許可されない領域と、前記符号パターンをその全領域内で前記画像データと合成することが許可される領域とが、主走査方向および副走査方向に交互になるように、前記符号パターンを前記画像データと合成する合成手段とを具備して、その基準データ部分が示す基準位置を明らかにすることにより、その追跡作業の迅速化と確実性を図ることができる。」と訂正する。
（ｇ）明細書の【図面の簡単な説明】の欄の【図６】における記載を、
「【図６】
　本発明による符号パターンの書込領域例を示す説明図である。」と訂正する。
４．本件特許公報を、誤記の訂正を目的に、以下の（ｈ）及び（ｉ）ごとく、訂正する。
（ｈ）明細書の段落【００１４】における記載を、
「【００１４】
　図３は、上記追跡パターン部２０９の概略構成を示すブロック図である。図において、３０１は主走査方向の同期信号に同期して画素クロック０〜２５５を繰り返しカウントし、Ａ０〜Ａ７の信号を出力する主走査カウンタである。なお、この場合におけるＬＳＢはＡ０である。また、３０２は副走査方向の同期信号に同期してライン同期信号０〜２５５を繰り返しカウントし、Ａ０〜Ａ７の信号を出力する副走査方向カウンタである。なお、この場合におけるＬＳＢはＡ０、ＭＳＢはＡ７である。」と訂正する。
（ｉ）明細書の段落【００１８】における記載
「【００１８】
　次に、追跡パターン部２０９の動作について説明する。まず、複写処理開始前に、ＣＰＵ（図示せず）からパターンデータをメモリ３０５に書き込む。その後、複写処理が開始されると、主走査方向カウンタ３０１および副走査方向カウンタ３０２の各カウント値により、メモリ３０５に格納したパターンデータの読み出しを実行する。さらに、ＥＸ−ＯＲゲート３０７に入力している主走査方向カウンタ３０１および副走査方向カウンタ３０２のＭＳＢ（Ａ７）が不一致のとき、その出力レベルがＨＩＧＨとなり（図４に示した黒部分がＨＩＧＨ）、パターン合成が許可されて、メモリ３０５のパターンデータを符号パターンとして合成部３０６において画像データに対して合成処理を実行する。」と訂正する。
（５４）【発明の名称】
追跡機能付画像形成装置
（５７）【特許請求の範囲】
　【請求項１】　原稿から読み取った画像データに対し所定の画像処理を実行して画像を出力する追跡機能付画像形成装置において，
　
画像形成した装置を特定する符号をパターンとしたパターンデータと，その内部の所定位置に配置され，基準位置となる基準データとからなる
　前記パターンデータ格納手段から前記符号パターンを繰り返し読み出して
，前記符号パターンを前記画像データと合成することが許可されない領域と，前記符号パターンをその全領域内で前記画像データと合成することが許可される領域とが，主走査方向および副走査方向に交互になるように，前記符号パターンを
　を具備することを特徴とする追跡機能付画像形成装置。
【発明の詳細な説明】
　【０００１】
　【産業上の利用分野】
　本発明は，紙幣や有価証券等の複製禁止物を複写した場合に，該複写物に判読可能な特定の識別パターンを付加し，該パターンからその複写物を出力した装置を特定できるデジタルカラー複写機等の追跡機能付画像形成装置に関するものである。
　【０００２】
　【従来の技術】
　従来，フルカラー複写機の普及および出力画像の高画質化に伴い，紙幣や有価証券等の複製禁止物を偽造するという社会的な問題点がさらにクローズアップされてきた。このような悪用複写の問題に対して，例えば，特開平４−２９４６８２号公報に開示されている「画像形成装置」がある。これは人間の目ではほとんど識別しにくい色の特定パターンを画像信号に付加して画像形成を行うもので，例えば，装置特有の認識番号や符号を特定パターンとして付加することにより，その装置を特定し，最終的に偽造複写を行った人物を追跡することができるようにしたものである。
　【０００３】
　【発明が解決しようとする課題】
　しかしながら，上記のような従来における画像形成装置にあっては，付加される特定パターンは，その性質上，人間の目では容易に識別できないようにする必要があり，また，その特定パターンが英数字等の人間が識別しやすいパターンであっては画像データに好ましくない影響を与えてしまうという問題点があった。一方，付加するパターンに符号を用いて該符号を印写し，識別しにくくすることもできるが，その印写された符号は見にくいため，パターン解読が困難になり，追跡作業に時間がかかり，追跡作業が難しくなるという問題点があった。
　【０００４】
　本発明は，上記に鑑みてなされたものであって，紙幣や有価証券等の複製禁止物の複写処理時において，該複写面に解読の容易な符号パターンを印写し，その追跡作業の迅速化と確実性を図ることを目的とする。
　【０００５】
　【課題を解決するための手段】
　本発明は，上記の目的を達成するために，原稿から読み取った画像データに対し所定の画像処理を実行して画像を出力する追跡機能付画像形成装置において，
画像形成した装置を特定する符号をパターンとしたパターンデータと，その内部の所定位置に配置され，基準位置となる基準データとからなる
，前記符号パターンを前記画像データと合成することが許可されない領域と，前記符号パターンをその全領域内で前記画像データと合成することが許可される領域とが，主走査方向および副走査方向に交互になるように，前記符号パターンを
　【０００７】
　【作用】
　本発明による追跡機能付画像形成装置は，本発明による追跡機能付画像形成装置は，
画像形成した装置を特定する符号をパターンとしたパターンデータと，その内部の所定位置に配置され，基準位置となる基準データとからなる符号パターンを，前記パターンデータ格納手段から前記符号パターンを繰り返し読み出して，前記符号パターンを前記画像データと合成することが許可されない領域と，前記符号パターンをその全領域内で前記画像データと合成することが許可される領域とが，主走査方向および副走査方向に交互になるように，前記符号パターンを前記画像データと合成することにより
　【０００８】
　【実施例】
　以下，本発明の一実施例を添付図面を参照して説明する。図１は，本発明に係る追跡機能付画像形成装置の主要構成を示すブロック図である。図において，１０１は原稿情報を走査により，あるいはメモリ等の記憶手段から順次，画像データとして読み取る画像読取部，１０２は画像読取部１０１により読み取られた画像データに対して所定の加工処理（後述する）を実行する画像処理部，１０３は画像処理部１０２により処理された画像データを記録紙等に出力する画像記録部である。
　【０００９】
　次に，動作について説明する。画像読取部１０１により読み取られた画像データは画像処理部１０２に入力され，各種画像処理が実行された後，画像記録部１０３に対して出力される。該画像記録部１０３においては上記画像データを記録紙に出力する。
　【００１０】
　図２は，上記画像処理部１０２の概略構成を示すブロック図である。図において，２０１はＲＧＢ画像データ信号の各データ信号毎に独立して主走査変倍処理を実行する変倍処理部，２０２はレンズ光学系（図示せず）のぼけ等を補正するためにＲＧＢ画像データ信号にＭＴＦ補正（鮮鋭化）処理を実行するＲＧＢフィルタ，２０３はＲＧＢ画像データ信号のグレーバランス等のγ補正処理を実行するＲＧＢγ補正部，２０４はＲＧＢ画像データ信号に対して必要に応じて，例えば，ミラー処理，斜体処理，影付け処理，ペイント処理，移動処理等の各種加工処理を実行する加工処理部，２０５は一次のマスキング方程式に基づいてＲＧＢ画像データ信号からＹＭＣＫ画像データ信号にデータ系を変換するカラー変換処理等を行う色補正部である。
　【００１１】
　また，２０６は画像記録部１０３のγ特性に応じてγ補正処理を実行するＹＭＣＫγ補正部，２０７は画像記録部１０３のＭＴＦ特性に応じて平滑化や鮮鋭化等のフィルタリング処理を実行するＹＭＣＫフィルタ，２０８は中間調処理を実行してＹＭＣＫの各信号をＹ’，Ｍ’，Ｃ’，Ｋ’（但し，ビット数はＣ＞Ｃ’，Ｍ＞Ｍ’，Ｙ＞Ｙ’，Ｋ＞Ｋ’）の色信号に変換するディザ処理部，２０９はディザ処理部２０８から出力されてきた画像信号に
符号
　【００１２】
　次に，画像処理部１０２の動作について説明する。ＲＧＢ画像データは変倍処理部２０１において，各画像データ信号毎に独立して主走査変倍処理が実行され，ＲＧＢフィルタ２０２において，ＭＴＦ補正（鮮鋭化）処理が実行され，ＲＧＢγ補正部２０３において，グレーバランス等のγ補正処理が実行され，加工処理部２０４において，例えば，ミラー処理，斜体処理等の各種加工処理が実行され，色補正部２０５において，ＲＧＢ画像データ信号からＹＭＣＫ画像データ信号にデータ系を変換する。
　【００１３】
　その後，ＹＭＣＫ画像データは，ＹＭＣＫγ補正部２０６において，画像記録部１０３のγ特性に応じてγ補正処理が実行され，ＹＭＣＫフィルタ２０７において，ＭＴＦ特性に応じて平滑化や鮮鋭化等のフィルタリング処理が実行され，ディザ処理部２０８において，中間調処理を実行してＹＭＣＫの各信号をＹ’，Ｍ’，Ｃ’，Ｋ’の色信号に変換するディザ処理が実行され，追跡パターン部２０９において，
符号
　【００１４】
　図３は，上記追跡パターン部２０９の概略構成を示すブロック図である。図において，３０１は主走査方向の同期信号に同期して画素クロック０〜２５５を繰り返しカウントし，Ａ０〜Ａ７の信号を出力する主走査カウンタである。なお，この場合におけるＬＳＢはＡ０である。また，３０２は副走査方向の同期信号に同期してライン同期信号０〜２５５を繰り返しカウントし，Ａ０〜Ａ７の信号を出力する副走査方向カウンタである。なお，この場合におけるＬＳＢはＡ０　
，ＭＳＢはＡ７
　【００１５】
　また，３０３は主走査カウンタ３０１の出力側に接続されるセレクタ，３０４は副走査方向カウンタ３０２の出力側に接続されるセレクタである。また，セレクタ３０３および３０４の入力Ａには，主走査カウンタ３０１および副走査方向カウンタ３０２の各出力を入力し，入力Ｂには，ＣＰＵ（図示せず）からのアドレス信号を入力するように構成されている。また，出力Ｙは，ＣＰＵから入力Ａを出力するか，入力Ｂを出力するかを選択するように構成されている。
　【００１６】
　また，３０５は２Ｋバイトの容量で，アドレスがＡ０〜Ａ１３であって，セレクタ３０３および３０４の各出力を入力側に接続しているメモリである。さらに，該メモリ３０５のＷＥはＣＰＵからメモリライン信号を入力し，Ｄ１はデータ入力であり，ＣＰＵからのデータを入力する。また，Ｄ０はデータ出力であり，ＣＰＵからのデータを出力するように構成されている。上記ＷＥがＨＩＧＨのとき，メモリ書込動作によりアドレスＡ０〜Ａ１３に対応してＤ１のデータ書き込みが実行される。また，ＷＥがＬＯＷのとき，メモリ読出動作によりアドレスＡ０〜Ａ１３に対応するＤ０からデータを出力する。
　【００１７】
　また，３０６は画像データと符号パターンを合成する合成部である。該合成部３０６の入力Ｄには，主走査方向カウンタ３０１および副走査方向カウンタ３０２の両出力を入力してＥＸ−ＯＲ（排他的論理和）論理処理を実行するＥＸ−ＯＲゲート３０７の出力と，メモリ３０５の出力Ｄ０とのＡＮＤ論理処理を実行するＡＮＤゲート３０８の出カラインを接続し，さらにＩＭＧＩＮ・ＹＭＣＫにはＹＭＣＫの画像データを入力することにより両方の入力データを合成して，ＩＭＧＯＵＴ・ＹＭＣＫから出力するように構成されている。なお，この合成部３０６による合成は，ＯＲ合成や加算合成，あるいは他の合成方法を用いる。また，特定の色（例えば，視覚的に判別しにくい黄色）だけに合成するようにしてもよい。
　【００１８】
　次に，追跡パターン部２０９の動作について説明する。まず、複写処理開始前に，ＣＰＵ（図示せず）からパターンデータをメモリ３０５に書き込む。その後，複写処理が開始されると，主走査方向カウンタ３０１および副走査方向カウンタ３０２の各カウント値により，メモリ３０５に格納したパターンデータの読み出しを実行する。さらに，ＥＸ−ＯＲゲート３０７に入力している主走査方向カウンタ３０１および副走査方向カウンタ３０２の
ＭＳＢ（Ａ７）が不一致のとき，その出力
　【００１９】
　図５は，上記メモリ３０５の
符号
この符号パターンの所定位置に配置された基準データを，
　【００２０】
　また，符号パターンの印写は，例えば，図６に示すように，主走査方向を４分割，副走査方向を６分割とした２４分割の領域を形成し，この領域に符号を書くか否かにより，２２４−１で約１．６×１０７通りの符号パターン形成を可能にしている。さらに，この符号の種類を増やすことにより，識別可能数を増加させることができる。さらに，上記において，基準
データ
　【００２１】
　オペレータが違法複写を行う際に，複数回印写を実行することが考えられる。例えば，操作内容を，１回目に紙幣や有価証券等の複写禁止物を複写し，さらに，その複写した複写禁止物を給紙トレイに再セットして，原稿を白紙にした状態で複写を行うことが考えられる。このような場合に対応するため，パターンデータとして図７に示すようなものを用いることにより悪用を防止することができる。
　【００２２】
　すなわち，符号パターンに方向性を持たせることにより，符号パターン（追跡パターン）を判別することができる。また，符号パターンの方向性が同一方向であっても，可能な限り細い線幅で印写されるため，複写処理毎の相互の印写位置がずれることを利用して，基準
データ
　【００２３】
　【発明の効果】
　以上説明したように，本発明による追跡機能付画像形成装置によれば，原稿から読み取った画像データに対し所定の画像処理を実行して画像を出力する追跡機能付画像形成装置において，
画像形成した装置を特定する符号をパターンとしたパターンデータと，その内部の所定位置に配置され，基準位置となる基準データとからなる
，前記符号パターンを前記画像データと合成することが許可されない領域と，前記符号パターンをその全領域内で前記画像データと合成することが許可される領域とが，主走査方向および副走査方向に交互になるように，前記符号パターンを
データ
【図面の簡単な説明】
　【図１】
　本発明に係る追跡機能付画像形成装置の主要構成を示すブロック図である。
　【図２】
　図１に示した画像処理部の概略構成を示すブロック図である。
　【図３】
　図２に示した追跡パターン部の概略構成を示すブロック図である。
　【図４】
　本発明によるパターンデータの合成入力例を示す説明図である。
　【図５】
　本発明によるメモリパターン領域と基準パターン例を示す説明図である。
　【図６】
　本発明による符
号パ
　【図７】
　本発明によるパターン例を示す説明図である。
　【符号の説明】
　１０２　画像処理部
　２０９　追跡パターン部
　３０１　主走査カウンタ
　３０２　副走査カウンタ
　３０３　セレクタ
　３０４　セレクタ
　３０５　メモリ
　３０６　合成部